【手続補正書】
【提出日】平成21年4月22日(2009.4.22)
【手続補正１】
【補正対象書類名】特許請求の範囲
【補正対象項目名】全文
【補正方法】変更
【補正の内容】
【特許請求の範囲】
【請求項１】
宛先として発見され得る通信ノードであって、
発信元通信ノードに宛先発見過程を提供する宛先発見サーバに対して、
外部環境検知部が検知した外部環境に基づいて、
宛先発見過程を制御することに特徴を有する通信ノード。
【請求項２】
宛先として発見され得る通信ノードであって、
発信元通信ノードに宛先発見過程を提供する宛先発見サーバに対して、
外部環境検知部が検知した外部環境に基づいて、
切替部が更新部のオン／オフを制御することに特徴を有する通信ノード。
【請求項３】
宛先として発見され得る通信ノードであって、
発信元通信ノードに宛先発見過程を提供する宛先発見サーバに対して、
外部環境検知部が見かけの宛先で以って発見される通信ノードの存否を検知し、
切替部が前記検知結果に基づいて更新部のオン／オフを制御することに特徴を有する通信ノード。
【請求項４】
請求項１乃至は請求項３のいずれかに記載の通信ノードであって、外部環境の検知に先立って、起動時に更新部が宛先発見過程を制御することに特徴を有する通信ノード。
【請求項５】
請求項１乃至は請求項３のいずれかに記載の通信ノードであって、オプションによって、
外部環境の検知に先立って更新部が宛先発見過程を制御する場合と、
外部環境検知部が検知した外部環境に基づいて宛先発見過程を制御する場合と、
を切替えてすることに特徴を有する通信ノード。
【請求項６】
通信における宛先として発見され得る自動車であって、
発信元通信ノードに宛先発見過程を提供する宛先発見サーバに対して、
外部環境検知部が検知した外部環境に基づいて、
宛先発見過程を制御することに特徴を有する自動車。
【請求項７】
通信における宛先として発見され得る自動車であって、
発信元通信ノードに宛先発見過程を提供する宛先発見サーバに対して、
外部環境検知部が検知した外部環境に基づいて、
切替部が更新部のオン／オフを制御することに特徴を有する自動車。
【請求項８】
通信における宛先として発見され得る自動車であって、
発信元通信ノードに宛先発見過程を提供する宛先発見サーバに対して、
外部環境検知部が見かけの宛先で以って発見される自動車の存否を検知し、
切替部が前記検知結果に基づいて更新部のオン／オフを制御することに特徴を有する自動車。
【請求項９】
請求項６乃至は請求項８のいずれかに記載の自動車であって、外部環境の検知に先立って、始動時に更新部が宛先発見過程を制御することに特徴を有する自動車。
【請求項１０】
請求項６乃至は請求項８のいずれかに記載の自動車であって、オプションによって、
外部環境の検知に先立って更新部が宛先発見過程を制御する場合と、
外部環境検知部が検知した外部環境に基づいて宛先発見過程を制御する場合と、
を切替えてすることに特徴を有する自動車。
【請求項１１】
宛先として発見され得る通信ノードに実行させるプログラムを記憶させた記憶媒体であって
発信元通信ノードに宛先発見過程を提供する宛先発見サーバに対して、
外部環境検知部が検知した外部環境に基づいて、
宛先発見過程を制御するステップを通信ノードに実行させることに特徴を有するプログラムを記憶させた記憶媒体。
【請求項１２】
宛先として発見され得る通信ノードに実行させるプログラムを記憶させた記憶媒体であって
発信元通信ノードに宛先発見過程を提供する宛先発見サーバに対して、
外部環境検知部が検知した外部環境に基づいて、
切替部が更新部のオン／オフを制御するステップを通信ノードに実行させることに特徴を有するプログラムを記憶させた記憶媒体。
【請求項１３】
宛先として発見され得る通信ノードに実行させるプログラムを記憶させた記憶媒体であって
発信元通信ノードに宛先発見過程を提供する宛先発見サーバに対して、
外部環境検知部が見かけの宛先で以って発見される通信ノードの存否を検知し、
切替部が前記検知結果に基づいて更新部のオン／オフを制御するステップを通信ノードに実行させるプログラムを記憶させた記憶媒体。
【請求項１４】
請求項１１乃至は請求項１３のいずれかに記載の宛先として発見され得る通信ノードに実行させるプログラムを記憶させた記憶媒体であって、
外部環境の検知に先立って、起動時に更新部が宛先発見過程を制御するステップを通信ノードに実行させるプログラムを記憶させた記憶媒体。
【請求項１５】
請求項１１乃至は請求項１３のいずれかに記載の宛先として発見され得る通信ノードに実行させるプログラムを記憶させた記憶媒体であって、オプションによって、
外部環境の検知に先立って更新部が宛先発見過程を制御する場合と、
外部環境検知部が検知した外部環境に基づいて宛先発見過程を制御する場合と、
を切替えてするステップを通信ノードに実行させるプログラムを記憶させた記憶媒体。
【請求項１６】
発信者が用いる発信元通信ノードと、
受信者が用いる宛先たり得る通信ノードと、
前記宛先たり得る通信ノードの見掛の宛先亦は中間的な情報と実際の宛先亦は中間的な情報とのマッピングが記憶されている宛先発見サーバとが、
網を介して相互に接続されている通信システムであって、
宛先たり得る通信ノードが２台以上となった場合に、
宛先たり得る通信ノードの中から択一的に宛先発見させることに特徴を有する通信システム。
【請求項１７】
発信者が用いる発信元通信ノードと、
受信者が用いる一台又は二台以上の宛先たり得る通信ノードと、
前記宛先たり得る通信ノードの見掛の宛先亦は中間的な情報と実際の宛先亦は中間的な情報とのマッピングが記憶されている宛先発見サーバとが、
網を介して相互に接続されている通信システムであって、
前記発信元通信ノードは、前記宛先発見サーバへ見掛の宛先を問合せるか亦は網に対して接続の要求を行った後に、当該見掛の宛先に係る実際の宛先通信ノードに対して発信し、そして、
前記実際の宛先通信ノードが前記接続されている状態で、宛先たり得る通信ノードが受信亦は待受けし、かつ、
実際の宛先通信ノードが受信亦は待受けを行う場合には、その他の宛先たり得る通信ノードは、受信亦は待受けを行わないことに特徴を有する通信システム。
【請求項１８】
通信の開始を欲する発意者の用いる発信元通信ノードと、
受信者が使用する宛先通信ノードと、
見掛の宛先亦は中間的な情報と実際の宛先亦は中間的な情報とのマッピングを記憶する宛先発見サーバとが網を介して接続されており、
発信元通信ノードの利用者が宛先通信ノードの利用者との通信を欲した時に、
発信元通信ノードが宛先発見サーバあるいは網へ見掛の宛先を問合せるか、亦は宛先発見サーバあるいは網に対して接続を要求し、
宛先発見サーバあるいは網の応答から実際の宛先を知るか、亦は実際の宛先を知らないまま接続を試みる場合であって、
宛先は一台又は二台以上の宛先たり得る通信ノードからなる群を構成している場合に、
１の実際の宛先たり得る通信ノードが宛先発見サーバに、見掛の宛先亦は中間的な情報に対応付けられる実際の宛先亦は中間的な情報として自ノードに係る情報を登録し、
宛先として発見され得る通信ノードが２以上の場合には、前記した通信ノードの外の通信ノードは、見掛の宛先亦は中間的な情報に対応した実際の宛先亦は中間的な情報として自ノードを登録しないことによって、受信者が欲する通信ノードを宛先として発信元通信ノードに発見させることに特徴を有する通信システム。
【請求項１９】
請求項１６乃至は請求項１８のいずれかに記載の通信システムに用いられることに特徴を有する宛先発見サーバ。
【請求項２０】
宛先たり得る通信ノードの見掛の宛先亦は中間的な情報と実際の宛先亦は中間的な情報とのマッピングが記憶されている宛先発見サーバであって、
前記宛先たり得る通信ノードが外部環境に基づいて実行する宛先発見過程の制御に対応する宛先発見サーバ。
【請求項２１】
通信の開始を欲する発意者の用いる発信元通信ノード（の利用者）が受信者が使用する宛先通信ノード（の利用者）との通信を欲した時に、発信元通信ノードによって見掛の宛先が問合せられるか、亦は接続が要求される宛先発見サーバであって、
前記発信元通信ノードに対して、実際の宛先を送信するか、亦は実際の宛先を送信する前に前記接続が試された場合であって、
宛先は１以上の宛先たり得る通信ノードからなる群を構成している場合に、
１の実際の宛先たり得る通信ノードによって見掛の宛先に対応付けられる実際の宛先として該通信ノードを登録し、
宛先として発見され得る通信ノードが２以上の場合には、前記した通信ノードの外の通信ノードは、見掛の宛先に対応した実際の宛先として登録しないことに特徴を有する宛先発見サーバ。